(57)【要約】【目的】電子機器を構成する板金に伝わる振動を抑制する。【構成】電子機器を構成する板金と板金の間に、弾性体を介在させ、板金を密着させることにより板金を固着させ、板金に伝わる振動を抑制する。【効果】硬材を薄くした場合の防振効果を保つことができ、防振材としての弾性材を小さくすることで軽量化、コスト低減ができる。防振する材質、形状変更された場合にも、防振材としての弾性材の位置、材料の変更も容易にでき、防振材の組み合わせが可能であるため、振動の加振力が変わったときにも追従性がある。【特許請求の範囲】
【請求項１】
液晶表示部と、フロントカバー、リアカバーを重ね合わせた電子機器において、電子機器を構成する板金と板金の間に弾性材を密着介在させて、板金に伝わる振動を抑制することを特徴とする液晶表示装置。
【請求項２】
弾性材を、板金に螺合するネジの頭に貼り付けたことを特徴とする請求項１記載の液晶表示装置。
【請求項３】
少なくとも一方の板金の外側に、更に弾性体を密着させた請求項１又は請求項２に記載の液晶表示装置。
【発明の詳細な説明】
【０００１】
【産業上の利用分野】
本発明は電子機器の防震構造であり、振動による強度不足を補い、構成部品の震えを抑える構造である。電子機器は薄型、小型化され、車や列車または航空機に至るまで様々な乗り物に使用されるようになってきた。最近では、薄型化された液晶を利用した表示装置の部品は、板金やプラスチックの硬材を利用している。表示装置の内部では、上記した表示装置を構成する板金やプラスチックの硬材が、接近してるので振動によって、各部品が共振する。異材質や板厚の違い、形状の違いによりそれぞれの発生する振動の周波数が変わることに加え、乗り物自体に表示装置を搭載した場合、乗り物それぞれの環境により発生する振動が変わるため、振動に弱いとされている電子機器には振動対策が必要になる。
【０００２】
表示装置を構成する板材や棒材の片側の端部が固定され、もう一方の端部になにも固定しない状態で振動を与えたときに、固定されていない方の端部は振動により揺れてしまう。このため、振動により揺れている板材や棒材の近くに固定された他の部品がある場合、この部品に揺れて動いた部品が接触し、ノイズ音を発生したり、機能に障害を与えることになる。また、各部品毎に、部品固有の周波数で振動が発生し、上記部品間で共振が起こり、ノイズ音や機能障害を発生するため振動による部品同士の緩衝をすることが必要となる。
【０００３】
特に電子機器の表示装置は見やすくするために、大型化が望まれているが構造部品は、軽量化の為に板厚等を薄くすることが望まれいる。構造各部品は振動による強度不足となりがちであるため、簡単に振動対策ができる表示装置の防震構造に関するものである。
【０００４】
【従来の技術】
従来、電子機器は持ち運びや、設置、取付等を考慮して小型、軽量が望まれてきたが、乗り物を対象とした表示装置では据え置きとなるため、表示面は大きく奥行きは薄くした表示装置が望まれている。このようなニーズに答えるためには、板金や樹脂板の様に薄くて強度のある硬材料を使用することが多くなる。しかし、振動は乗り物の環境により変わるため、振動による各部品の影響を考慮する必要があった。振動対策としては揺れを抑えるために、硬材の板厚を部分的に厚くしたり、振動を押さえる方向に板を曲げたり、補強板を接合したりしている。
また、弾性材（ゴム、スポンジ、弾性樹脂等）は部品同士が緩衝するように硬材と硬材の間に挟むことで簡単に防震効果が得られるため、多種多様な形状で表示装置に取り付けられている。
【特許文献】
特開２０００−１１２６５８号
【０００５】
しかしながら、硬材の板厚を部分的に厚くしたり、補強をした場合、表示装置全体の大きさが大きくなる。また、内部のスペースが少なくなるため、乗り物の環境で変化する振動の加振力（周波数、加速度、振幅）が大きくなる場合、硬材同士が揺れ当たり、ノイズ音を発生したり、機能障害を引き起こす可能性がある。
【０００６】
また、弾性材で振動対策をした場合、防振の効果を得るには硬材全面に貼る必要があるため重量が重くなり、また弾性材の使用量が多くなるとコストが上がる。また、部分的に弾性材を使用する方法では、弾性材は柔らかいため一定の加振力（周波数、加速度、振幅）であれば他部品に影響を及ぼさないが、加振力（周波数、加速度、振幅）の変化が大きい場合、弾性材のない部分では部品同士がぶつかり合うことになる。
【０００７】
【課題を解決するための手段】
本発明は従来の問題を解消するために、液晶表示部と、フロントカバー、リアカバーを重ね合わせた電子機器において、電子機器を構成する板金と板金の間に弾性材を密着介在させて、板金に伝わる振動を抑制する液晶表示装置を提案するものである。
【０００８】
【発明の実施の形態】
本発明は、電子機器を構成する板金に伝わる振動を抑制する為に、板金と板金の間に弾性材を介在させ、板金を密着させることで、板金に伝わる振動を抑制するものである。
【０００９】
【実施例】
図１は、本発明による車載用液晶モニタ１で中央の大きな矩形内は表示するための液晶１３であり、横の矩形内の円形部は電源ＯＮ−ＯＦＦや表示の切り替えを行う操作スイッチ２であり、液晶１３を覆うフロントカバー３、リアカバー４で外観を構成している。
【００１０】
次に、車載用液晶モニタ１の内部部品構成分解図２を参照しながら説明する。ベース板５にはネジ取付用の十字穴５ａが空いている。ベース板５の片面は電源基板６、制御基板７、インバータ基板８をネジ止めできる構造になっている。各基板はケーブル（図示せず）で接続される。シールドカバー９、１０、１１は各基板に電磁ノイズを受けないよう金属の板（板金）を曲げて作成されており、基板を覆い被すようにベース板５にネジで固定される。
【００１１】
液晶ユニット１２は、液晶１３に液晶基板１４がフラットケーブル１５で接続されている。液晶１３と液晶基板１４を保護、電磁ノイズを外部に放出しないための板金の液晶カバー１６で構成される。液晶ユニット１２は液晶固定板１７、１８によりベース板５にネジで固定され、制御基板７、インバータ基板８にケーブル（図示せず）で接続される。フロントカバー３、リアカバー４はベース板５にネジで固定される。
【００１２】
車載用液晶モニタ１の内部構成部品は、液晶カバー１６とシールドカバー９、１０、１１は電磁ノイズを外部に出さないようにするためと加工のしやすさから通常薄い板金で製作される。また、占有面積が大きいため板金は軽量で薄くすることが必要とされるため主にアルミ板で製作される。
【００１３】
リアカバー４は鋼材の板金作成されており、各基板中央に当たる部分に絞りによる突起１９を数カ所設け、突起１９上に弾性材２０を覆い被せるように貼り付ける。リアカバー４をベース板５に固定する時、シールドカバー９、１０、１１上に弾性材２０が接触し、リアカバー４をベース板５にネジ止めすることでシールドカバー９、１０、１１の振動を抑える。弾性材２０の貼付位置は各シールドカバー９、１０、１１の形状が異なるため突起１９の防振効果のある位置を選択できる。また、シールドカバー９、１０、１１の高さが違う場合、弾性材２０が小さく分かれているので適切な厚さ、硬さが選ぶことが容易にできる。
【００１４】
また、硬材の突起１９があるため、リアカバー４を取り付ける際のストッパーとしての役目を果たすことになり組み立てが容易になる、この突起１９がない場合、弾性材２０だけではネジで締め付けたときの力が安定せず、組み立て時の作業性が悪くなる。弾性材２０をなくし、突起１９のみの場合、組み立て作業はしやすいが、振動したときにノイズ音の発生源になってしまう。
【００１５】
液晶カバー１６のように、大きな面積を有する板金の防振に有効な手段としてネジ２１を利用する。図３の断面図で説明する。ベース板５の十字穴５ａ（図２参照）に、ネジ２１をナット２２で固定する。ネジ２１の頭２１ａに弾性材２０ａを貼り付ける。ベース板５に液晶ユニット１２を固定することで、弾性材２０ａは圧縮され液晶カバー１６の防振構造となる。
【００１６】
また、更に大きな面積を有する場合、板金５の一方側に小さな板金２３を曲げ、中央にネジ２３ａを接合し、板金２３を挟むように弾性材２０ｂ，２０ｃを貼付、十字穴５ａにナット２２で固定する。ベース板５に空けた十字穴５ａ内であれば防振効果のある位置に移動させて位置決めができる。
【００１７】
防振をする薄板の同一面で２カ所以上、ネジを用いて固定し、防振をする場合、ネジ２１と板金２３を組み合わせて使用することができ、弾性材の厚さや、硬さを簡単に変えられるので加振力が変わることが想定される場合には有効である。
【００１８】
【発明の効果】
以上説明したように、硬材を薄くした場合の防振効果を保つことができ、防振材としての弾性材を小さくすることで軽量化、コスト低減ができる。
防振する材質、形状変更された場合にも、防振材としての弾性材の位置、材料の変更も容易にでき、防振材の組み合わせが可能であるため、振動の加振力が変わったときにも追従性がある。
【図面の簡単な説明】
【図１】液晶モニタ
【図２】液晶モニタ分解図
【図３】液晶モニタ断面図
【符号の説明】
１    液晶モニタ
２  操作スイッチ
３    フロントパネル
４    リアパネル
５    ベース板
５ａ十字穴
６    電源基板
７    制御基板
８    インバータ基板
９  シールドカバー
１０  シールドカバー
１１  シールドカバー
１２  液晶ユニット
１３  液晶
１４  液晶基板
１５  フラットケーブル
１６    液晶カバー
１７  液晶固定板
１８  液晶固定板
１９  突起
２０  弾性材
２０ａネジ
２０ｂ弾性体
２０ｃ弾性体
２１ａネジの頭
２２  ナット
２３  板金
【図１】
2004264571.tif 000002
【図２】
2004264571.tif 000003
【図３】
2004264571.tif 000004